(57)【要約】【課題】繰り返し使用される通箱で、簡易な形状で内材の取り付け、取り出しが簡単にでき、かつ繰り返し使用できる箱と内材を提供する。【解決手段】通常の組仕切りにできる外箱の内側側面と内材の外側の板との間にできる隙間を利用し、外箱(4a)の内側側面の上部に引っかかりとなる固定用部材(4b)を取り付け、内材の外側の板(3)の折り返し部分(3b)を二つ折りにして外箱に入れ、曲げられた部分が元に戻ろうとする力により折り返し部分の上端が外箱の側面に押し付けられ、外箱の固定用の部材(4b)にひっかかることにより、使用時には内材が固定され、取り出すときには外箱と内材との間に隙間があるため、折り返し部分(3b)を内側に引っ張ることにより固定用部材に引っかからずに簡単に取り出せる。【選択図】図１
0003157491.tif 000002
【実用新案登録請求の範囲】
【請求項１】
外箱(4a)と内材を組み合わせて使用する通箱で、前記外箱(4a)は内側側面に固定用部材(4b)を有し、前記内材の外壁の少なくとも一面に連設した折り返し部分(3b)を折り曲げて内材を外箱(4a)内に収納し、折り返し部分(3b)が元に戻ろうとする力で外箱(4a)内面に押し付けられる状態となることで前記固定用部材(4b)に引っかかり、内材が外箱(4a)内に固定されることを特徴とする通箱。
【考案の詳細な説明】
【技術分野】
【０００１】
本考案は、通箱として繰り返し使われる物品輸送箱の外箱と内材の形状に関するものである。
【背景技術】
【０００２】
従来、通い箱に組仕切りのような内材を入れて固定する場合、図９で示すように内材(5d)を入れた後に、外箱(5a)に別の固定用部材(5b)をビス等(5c)で取り付けることにより、内材を固定し、簡単に外れないようになっていた。
【考案の概要】
【考案が解決しようとする課題】
【０００３】
しかし、洗浄等を目的として内材を取り出す必要があるが、従来の技術では、取り出すたびにビスを外す必要があり、手間がかかっていた。
【０００４】
ビスを取り外すために工具が必要であった。
【０００５】
ビスを使用するため、取り外しを繰り返すと固定用部材の穴が破損しビスが使用できなくなるため、部品交換などが必要となっていた。
【課題を解決するための手段】
【０００６】
本考案は、外箱の内側側面と内材の外側の板との間にできる隙間を利用したもので、外箱(4a)の側面上部に引っかかりとなる固定用部材(4b)を取り付け、内材の外側の板(3)につけられた折り返し部分を二つ折りにして外箱に入れ、曲げられた部分が元に戻ろうとする力により折り返し部分(3b)の上端が外箱の側面に押し付けられ、外箱の固定用の部材(4b)にひっかかることにより、使用時には内材が固定され、取り出すときには外箱と内材との間に隙間があるため、折り返し部分(3b)を内側に引っ張ることにより簡単に取り出せることを要旨とする。
【考案の効果】
【０００７】
内材の脱着に手間がかからず、工具も必要ない。
【０００８】
内材の材料に弾力のある部材を選択することにより、繰り返し脱着することができる
【０００９】
従来使われている組仕切りの形状をそのまま利用することができ、部材の増加も少なく、簡単な構造で脱着機能を付加することができる。
【図面の簡単な説明】
【００１０】
【図１】この考案の実施形体の１例を示す斜視図である。
【図２】縦仕切り板  平面図
【図３】内側の横仕切り板  平面図
【図４】外側の横仕切り板  平面図
【図５】内材組み立て形状を示す斜視図
【図６】外箱  斜視図
【図７】内材の取り付け要領を示す斜視図（形状がわかりやすいよう、必要な部分のみを示す。）
【図８】内材の固定状態を示す斜視図（形状がわかりやすいよう、必要な部分のみを示す。）
【図９】従来技術を示す斜視図
【考案を実施するための形態】
【００１１】
以下添付の図面にしたがってこの考案を詳細に説明する。
図１は本考案の実施形体の１例を示す斜視図である。本考案は繰り返し使われる通箱に関する考案で、固定用部材をつけられた外箱と、組仕切りに代表される板材を組み合わせて作られた内材とを組み合わせて使用する。
【００１２】
この考案の内材に使用する仕切りの材質はプラダン等の樹脂シートであり、繰り返し曲げることが可能で曲げられたときに元に戻る力が働くような強度と厚みを持つ素材が適している。
【００１３】
図２は通常と同じ組仕切りの縦板(1)、図３は通常と同じ組仕切りの横板(2)を示し、本考案においては内側の横仕切り板となる。なお、本例で使用する組仕切りは、外側の仕切り板の差し込み方向を変えて外れ止めとする形状である。
【００１４】
図４は外側の横仕切り板(3)を示す。外側の横仕切り板は製品を入れる区画となる仕切り部分(3a)とそれと同等の高さを持つ折り返し部分(3b)からなる。折り返し部分(3b)は仕切り部分(3a)の下側となる辺に連接し、二つ折りにしたときに縦仕切り板と干渉しない形状である。
【００１５】
図５は縦仕切り板(1)と内側の仕切り板(2)と外側の仕切り板(3)を組み合わせた形状である。
【００１６】
図６は外箱(4)の斜視図を示す。外箱は繰り返し使うことが可能な強度を持つ箱(4a)と内材の固定用部材(4b)からなる。外箱(4a)は通常使われているプラスチックコンテナ等をそのまま使用することができる。固定用部材は仕切り板と同等またはそれ以上の強度と厚さを持ち、ビス・リベット等により外箱に固定することが可能な素材が適している。
【００１７】
固定用部材(4b)は外箱の内側側面で、内材の折り返し部分が当たる面に取り付ける。取り付け位置は、固定用部材(4b)の下端の高さが、内材を入れたときの折り返し部分(3b)の上端にあたる高さに合わせ、内材を出し入れするときに縦仕切り板が当たらない位置に合わせる。固定用部材(4b)は外れないようにビス・リベット等で外箱(4a)に固定する。
【００１８】
図７は内材の取り付け要領を示す斜視図である。なお、この図は形状がわかりやすいよう、必要な部分のみを示す。内材を外箱に入れる時は、外側の仕切り板(3)の折り返し部分(3b)を二つ折りにして入れる。通常の組仕切りの形状では外箱の内側側面と内材の仕切り部分との間に隙ができるため、折り返し部分(3b)は固定用部材(4b)を乗り越えて、内材を外箱の中に入れることが可能となる。
【００１９】
図8は内材の固定状態を示す斜視図である。なお、この図は形状がわかりやすいよう、必要な部分のみを示す。内材が外箱の中に入ると、折り曲げられた部分が元に戻る力が働くために、折り返し部分(3b)は外箱の側面に押し付けられる状態となる。これにより、内材を引き上げて抜こうとしても、折り返し部分(3b)の上端が固定用部材(4b)に引っかかり、内材が抜けなくなる。
【００２０】
内材を取り出す場合は、折り返し部分(3b)を内側によせて、固定用部材(4b)に引っかからないようにして、内材を引き上げる。これにより、固定用部材(4b)を取り外すことなく内材の出し入れが可能となる。
【符号の説明】
【００２１】
１    縦仕切り板
１ａ  外箱の内側側面と内材の仕切り部分との間に隙になる部分
２    内側の横仕切り板
３    外側の横仕切り板
３ａ  仕切り部分
３ｂ  折り返し部分
３ｃ  折り曲げ用罫線
４    外箱
４ａ  外箱(通常の製品)
４ｂ  固定用部材
５    従来技術による外箱と内材
５ａ  外箱
５ｂ  固定用部材
５ｃ  ビス
５ｄ  内材
【図１】
0003157491.tif 000003
【図２】
0003157491.tif 000004
【図３】
0003157491.tif 000005
【図４】
0003157491.tif 000006
【図５】
0003157491.tif 000007
【図６】
0003157491.tif 000008
【図７】
0003157491.tif 000009
【図８】
0003157491.tif 000010
【図９】
0003157491.tif 000011